(57)【要約】  本発明は、Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に従って、ＭＰＥＧ−ＴＳ（トランスポートストリーム）対応データストリームを受信装置（１０４）に無線伝送するための伝送装置（１００）に関する。伝送装置は、ＭＰＥＧ−ＴＳ対応データストリームを受信するための端子を備え、更には、Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に従って、伝送装置を特徴付ける第１のＩＰアドレスを受信装置に無線伝送（矢印２）するよう適合させられる。伝送装置は、受信装置への無線伝送の前に、第１のＩＰアドレスをＭＰＥＧ−ＴＳ対応データストリームと結合させるようにも適合させられる。本発明によれば、伝送装置は更に、受信装置が外部信号ソース（１０２）から外部ＩＰデータストリームを受信するのが可能となるよう適合させられ、伝送装置は更に、受信装置に第２のアドレスを無線伝送（矢印２）するよう適合させられ、当該第２のアドレスは、外部信号ソース（１０２）を特徴付ける（図１）。本発明は、Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、外部ＩＰデータストリームを受信するための受信装置（１０４）にも関する（図１）。
2019522389.tif 000002
【特許請求の範囲】
【請求項１】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に従って、ＭＰＥＧ−ＴＳ（トランスポートストリーム）対応データストリームを受信装置に無線伝送するための伝送装置であって、
前記伝送装置は、ＭＰＥＧ−ＴＳ対応データストリームを受信するための端子を備え、更にはＷｉ−Ｆｉ  ＡｌｌｉａｎｃｅのＷｉ−Ｆｉディスプレイ技術仕様書の例えばバージョン１．１．０（Ｍｉｒａｃａｓｔ）に従って、前記伝送装置を特徴付ける第１のＩＰアドレスを受信装置に無線伝送するよう適合させられ、
前記伝送装置は、前記受信装置への無線伝送の前に、前記第１のＩＰアドレスを前記ＭＰＥＧ−ＴＳ対応データストリームと結合させるようにも適合させられ、
前記伝送装置は更に、前記受信装置が外部信号ソースから外部ＩＰデータストリームを受信するのが可能となるよう適合させられ、
前記伝送装置は更に、前記受信装置に第２のアドレスを無線伝送するよう適合させられ、
前記第２のアドレスは、前記外部信号ソースを特徴付ける、伝送装置。
【請求項２】
前記伝送装置は、前記外部ＩＰデータストリームを受信するための入力部を備え、前記伝送装置は、前記受信装置に前記外部ＩＰデータストリームを無線伝送するよう適合させられる、請求項１に記載の伝送装置。
【請求項３】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、請求項２に記載の伝送装置と連携するための受信ユニットを備える受信装置であって、
前記伝送装置から前記受信装置に既に供給された第２のアドレスを用いて前記伝送装置から外部ＩＰデータストリームを受信するよう適合させられる、受信装置。
【請求項４】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、請求項１に記載の伝送装置と連携するための受信ユニットを備える受信装置であって、
前記受信装置が、前記伝送装置から前記受信装置に既に供給された第２のアドレスを用いて、外部信号ソースから外部ＩＰデータストリームを受信するよう適合させられる結果、前記外部信号ソースから前記受信装置への前記外部ＩＰデータストリームの伝送は、前記伝送装置を回避する、受信装置。
【請求項５】
前記外部ＩＰデータストリームを受信するための更なる入力を備える、請求項４に記載の受信装置。
【請求項６】
前記伝送装置は更に、前記ＭＰＥＧ−ＴＳ対応データストリームに対するＲＴＰ処理工程を実行するためのＲＴＰ処理ユニットと、前記ＲＴＰ処理ユニットにおいて処理された前記ＭＰＥＧ−ＴＳ対応データストリームに対するＵＤＰ処理工程を実行するためのＵＤＰ処理ユニットと、前記ＵＤＰ処理ユニットにおいて処理された前記ＭＰＥＧ−ＴＳ対応データストリームに対するＩＰ処理工程を実行するためのＩＰ処理ユニットとを備え、
前記入力部は、前記ＩＰ処理ユニットにおいて処理された内部ＭＰＥＧ２−ＴＳ対応データストリームと前記外部ＩＰデータストリームとを切り替えるための切り替え構成を有する、請求項２に記載の伝送装置。
【請求項７】
前記切り替え構成の出力信号が更に、前記切り替え構成の出力信号を無線伝送するための伝送ユニットに連結される、請求項６に記載の伝送装置。
【請求項８】
前記伝送装置は、受信装置とのＷｉ−Ｆｉピアツーピア接続を確立するための第１のユニットと、前記受信装置への伝送のために前記第１のＩＰアドレスを生成するよう適合させられる、セッションセットアップを実行するための第２のユニットとを備え、前記第２のユニットは、前記受信装置が前記第２のアドレスを利用できるよう適合させられ、前記第２のアドレスは、前記外部ＩＰデータストリームを提供する前記外部信号ソースを特徴付ける前記アドレスであり、前記第２のユニットは、前記受信装置に前記第２のアドレスを伝送するよう適合させられる、請求項１、２、６または７の何れか一項に記載の伝送装置。
【請求項９】
前記伝送装置は更に、インジケータ信号を提供するよう適合させられ、前記インジケータ信号は、前記外部ＩＰデータストリームの形式を示し、伝送ユニットが更に、前記受信装置に前記インジケータ信号を伝送するよう適合させられる、請求項８に記載の伝送装置。
【請求項１０】
前記受信ユニットは更に、無線伝送された前記インジケータ信号を受信するよう適合させられ、前記受信装置は更に、受信された前記インジケータ信号に応答して、前記外部ＩＰデータストリームを直接出力するための出力部を備える、請求項９に記載の伝送装置と連携するための、請求項３、４または５の何れか一項に記載の受信装置。
【請求項１１】
前記受信ユニットは更に、無線伝送された前記インジケータ信号を受信するよう適合させられ、前記受信装置は更に、受信された前記インジケータ信号に応答して、ＩＰ抽出段階で前記外部ＩＰデータストリームからＩＰヘッダを抽出した後に取得された外部データストリームを出力するための出力部を備える、請求項９に記載の伝送装置と連携するための、請求項３、４または５の何れか一項に記載の受信装置。
【請求項１２】
無線伝送された前記インジケータ信号に応答して、ＩＰ抽出段階で前記外部ＩＰデータストリームからＩＰヘッダを抽出した後、かつ、ＵＤＰ抽出段階でＵＤＰヘッダを抽出した後に取得された外部データストリームを出力するための更なる出力部を更に備える、請求項９に記載の伝送装置と連携するための、請求項３、４または５の何れか一項に記載の受信装置。
【請求項１３】
無線伝送された前記インジケータ信号に応答して、ＩＰ抽出段階で前記外部ＩＰデータストリームからＩＰヘッダを抽出した後、ＵＤＰ抽出段階でＵＤＰヘッダを抽出した後、かつ、ＲＴＰ抽出段階でＲＴＰヘッダを抽出した後に取得された外部データストリームを出力するための更なる出力部を更に備える、請求項９に記載の伝送装置と連携するための、請求項３、４または５の何れか一項に記載の受信装置。
【請求項１４】
受信された前記インジケータ信号に対応する前記形式を有する、前記外部ＩＰデータストリームを復号化するための、複数の前記出力部のうちの１つに連結された信号復号化ユニットを更に備える、請求項１０から１３の何れか一項に記載の受信装置。
【請求項１５】
前記出力部は、無線伝送されたＭＰＥＧ２−ＴＳ  Ｍｉｒａｃａｓｔ対応データストリームの受信と前記外部ＩＰデータストリームの受信とを切り替えるための切り替え構成を備え、前記切り替え構成の入力が、前記受信ユニットの出力に連結され、第１の出力が、ＭＰＥＧ−ＴＳ  Ｍｉｒａｃａｓｔ対応データストリームを復号化するための復号化ユニットの入力に連結され、第２の出力が、前記外部ＩＰデータストリームを直接出力するための出力端子に連結される、請求項１０または１１に記載の受信装置。
【請求項１６】
前記切り替え構成は、ＭＰＥＧ復号化ユニットに前記外部ＩＰデータストリームを直接供給するための第３の出力を有する、請求項１５に記載の受信装置。
【請求項１７】
前記受信装置は更に、更なる切り替え構成を備え、前記切り替え構成の第１の入力端子が、前記入力に連結され、第２の入力端子が、受信構成の出力に連結され、出力端子がＩＰ抽出段階の入力に連結される、請求項５に記載の受信装置。
【請求項１８】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、無線伝送されたＭＰＥＧ２−ＴＳ  Ｍｉｒａｃａｓｔ対応データストリームを受信するための受信装置であって、
受信ユニットと、
ＩＰ抽出ユニットと、
ＵＤＰ抽出ユニットと、
ＲＴＰ抽出ユニットと
を備え、
切り替え構成を有する出力部を更に備え、前記切り替え構成の入力が、前記受信ユニットの出力に連結され、第１の出力が、ＩＰ抽出ユニットの入力に連結され、第２の出力が、出力端子に連結される、受信装置。
【請求項１９】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、無線伝送されたＭＰＥＧ２−ＴＳ  Ｍｉｒａｃａｓｔ対応データストリームを受信するための受信装置であって、
受信ユニットと、
ＩＰ抽出ユニットと、
ＵＤＰ抽出ユニットと、
ＲＴＰ抽出ユニットと
を備え、
切り替え構成を有する出力部を更に備え、前記切り替え構成の入力が、前記ＩＰ抽出ユニットの出力に連結され、第１の出力が、前記ＵＤＰ抽出ユニットの入力に連結され、第２の出力が、出力端子に連結される、受信装置。
【請求項２０】
前記切り替え構成では更に、第３の出力が第２の切り替え構成の第１の入力に連結され、前記第２の切り替え構成の第２の入力が、前記ＲＴＰ抽出ユニットの出力に連結され、前記第２の切り替え構成の出力が、ＭＰＥＧ−ＴＳ復号化ユニットの入力に連結される、請求項１９に記載の受信装置。
【請求項２１】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、無線伝送されたＭＰＥＧ２−ＴＳ  Ｍｉｒａｃａｓｔ対応データストリームを受信するための受信装置であって、
受信ユニットと、
ＩＰ抽出ユニットと、
ＵＤＰ抽出ユニットと、
ＲＴＰ抽出ユニットと
を備え、
切り替え構成を有する出力部を更に備え、前記切り替え構成の入力が、前記ＵＤＰ抽出ユニットの出力に連結され、第１の出力が、前記ＲＴＰ抽出ユニットの入力に連結され、第２の出力が、出力端子に連結される、受信装置。
【請求項２２】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、無線伝送されたＭＰＥＧ２−ＴＳ  Ｍｉｒａｃａｓｔ対応データストリームを受信するための受信装置であって、
受信ユニットと、
ＩＰ抽出ユニットと、
ＵＤＰ抽出ユニットと、
ＲＴＰ抽出ユニットと
を備え、
切り替え構成を有する出力部を更に備え、前記切り替え構成の入力が、前記ＲＴＰ抽出ユニットの出力に連結され、第１の出力が、ＭＰＥＧ−ＴＳ復号化ユニットの入力に連結され、第２の出力が、出力端子に連結される、受信装置。
【請求項２３】
Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に準拠した、無線伝送されたＭＰＥＧ２−ＴＳ  Ｍｉｒａｃａｓｔ対応データストリームを受信するための受信装置であって、
受信ユニットと、
ＩＰ抽出ユニットと、
ＵＤＰ抽出ユニットと、
ＲＴＰ抽出ユニットと
を備え、
切り替え構成を有する入力部を更に備え、前記切り替え構成の第１の入力が、前記受信ユニットの出力に連結され、出力が、ＩＰ抽出ユニットの入力に連結され、第２の入力が、入力端子に連結される、受信装置。
【発明の詳細な説明】
【技術分野】
【０００１】
本発明は、請求項１のプリアンブルに記載の伝送装置と請求項３のプリアンブルに記載の受信装置とに関する。請求項１のプリアンブルに記載の伝送装置は、Ｗｉ−Ｆｉ  ＡｌｌｉａｎｃｅのＷｉ−Ｆｉディスプレイ技術仕様書のバージョン１．１．０より知られている。この技術仕様書では、いわゆるＭｉｒａｃａｓｔ規格に準拠した無線伝送システムについて説明している。
【０００２】
既知の伝送装置では、映像情報信号および／または音声情報信号が、無線伝送されるＭｉｒａｃａｓｔ対応データストリームに符号化される。このため、映像情報信号および／または音声情報信号は、映像または音声の符号化の後にＭＰＥＧ２−ＴＳ対応データストリームに入れられ、ひとたびこのＭＰＥＧ２−ＴＳ対応データストリームがＭｉｒａｃａｓｔ対応データストリームに転換されると、それは受信機、例えばＭｉｒａｃａｓｔ対応テレビセットに無線伝送され得る。
【発明の概要】
【０００３】
本発明の目的は、改良された伝送装置および受信装置を提案することである。請求項１のプリアンブルに記載の伝送装置は、最初の請求項を特徴付ける部分で定義されるように特徴付けられる。従属請求項２および６から９では、本発明に係る伝送装置の他の実施形態が特許請求されている。受信装置は、請求項３、４、５および１０から２３により特徴付けられる。
【０００４】
本発明は、Ｗｉ−Ｆｉ  ＡｌｌｉａｎｃｅのＷｉ−Ｆｉディスプレイ技術仕様書で定義されている（放送コンテンツを含む）ストリーミングコンテンツの配信のために、Ｍｉｒａｃａｓｔが組織内でますます使用されつつあるという独創的発想に基づくものである。ほとんど全ての新しいモバイル端末（ラップトップ、タブレットおよび携帯電話）および据置型端末（テレビ、プロジェクタ）がこの技術をサポートしていることから、高い市場浸透率がある。現在、Ｍｉｒａｃａｓｔは、ポータブルデバイス、主にタブレットまたは携帯電話がテレビセットにコンテンツを伝送するよう定義されている。コンテンツは故に、端末により直接生成または符号変換される。従って、他のソースからの伝送は、限られた範囲内で、（符号変換に起因する）質の低下を伴って初めて実現され得るが、これが常に実現可能または許容可能であるとは限らない。
【０００５】
しかしながら、現行のＭｉｒａｃａｓｔ伝送方法は、限られた数の映像形式および／または音声形式の信号しか受け付けられないので自由度が低い。
【０００６】
本発明に係る方策は、Ｍｉｒａｃａｓｔ方法に準拠した伝送装置が更には、外部ＩＰデータストリームをＭｉｒａｃａｓｔ対応受信装置に無線伝送することができ、その結果、外部ＩＰデータストリームとして既に存在する情報が符号変換することなく受信装置に伝送され得るという効果を持つ。
【０００７】
一実施形態では、伝送装置が外部ＩＰデータストリームを受信し、次いでそれを受信装置に伝送する。本発明に係る別の実施形態では、伝送装置が外部ＩＰデータストリームを受信装置に「直接」、ひいては、伝送装置を迂回させることにより伝送する。この実施形態では、外部ＩＰデータストリームがインターネット接続またはＷＬＡＮ接続を介して受信装置に伝送され得る。
【０００８】
受信装置の更なる実施形態では、受信された、無線伝送された外部ＩＰデータストリームが、受信後に外部復号化ユニットへ「直接」転送され得る。当該外部復号化ユニットは更に、外部ＩＰデータストリームを処理して特定の情報信号にする。しかしながら、まず、受信された外部ＩＰデータストリームを受信装置のＩＰ抽出ユニットにおいてＩＰヘッダから引き離し、それから初めて、それを外部復号化ユニットに転送することも可能であろう。
【０００９】
外部ＩＰデータストリームをもたらした信号処理に応じて、このようにして取得されたデータストリームは、更なるＵＤＰ抽出またはＲＴＰ抽出の後に初めて、外部復号化ユニットに転送されてもよい。外部ＩＰデータストリームの適合性に応じて、ＩＰ抽出ユニットにおけるデカプセル化の後に、受信装置に存在するＭＰＥＧ復号化ユニットに外部ＩＰデータストリームを直接供給することすら可能である。
【００１０】
Ｍｉｒａｃａｓｔ規格に準拠した伝送装置がＷＯ２０１４１１１４０７Ａで説明されていることが挙げられるべきである。ここでは、Ｍｉｒａｃａｓｔ伝送装置を用いて無線伝送するための映像情報信号および／または音声情報信号が、複数の映像情報信号および／または音声情報信号を有するＭＰＥＧ２−ＴＳ対応データストリームから１つだけ導出される。Ｍｉｒａｃａｓｔ伝送装置を用いた外部ＩＰデータストリームの伝送、および、当該Ｍｉｒａｃａｓｔ伝送装置がどのようにして実装されるべきかをここで論ずることは目的としていない。
【図面の簡単な説明】
【００１１】
以下の図の説明では、幾つかの実施形態に基づいて本発明をより詳細に説明する。図面は以下を示している。
【００１２】
【図１】外部ＩＰソースとＭｉｒａｃａｓｔ対応受信装置との間における外部ＩＰデータストリームの伝送の実施形態である。伝送はＭｉｒａｃａｓｔ対応伝送装置を用いて可能となる。
【００１３】
【図２】図１の伝送装置の詳細な図を示している。
【００１４】
【図３】図１の受信装置の詳細な図を示している。
【００１５】
【図４】複数のＭＰＥＧトランスポートストリームを含む外部ＩＰデータストリームの伝送の実施形態を示している。
【００１６】
【図５】外部ＩＰデータストリームの伝送の実施形態を示している。ここでは、外部ＩＰデータストリームの、指定されていない幾つかまたは他のストリーミング形式がある。
【００１７】
【図６】図５に記載の伝送装置と連携するよう構成された受信装置の実施形態を示している。
【００１８】
【図７】外部ＩＰソースとＭｉｒａｃａｓｔ対応受信装置との間における外部ＩＰデータストリームの伝送の実施形態を示している。当該Ｍｉｒａｃａｓｔ対応受信装置によって、Ｍｉｒａｃａｓｔ対応伝送装置を用いた伝送が可能となる。ここで、外部ＩＰデータストリームは、外部ＩＰソースから受信装置に伝送され、伝送装置は外部ＩＰソースと受信装置との間の伝送路において迂回される。
【００１９】
【図８】図７に記載のＭｉｒａｃａｓｔ対応受信装置の細部を示している。
【００２０】
【図９】本発明に係る受信装置の更なる実施形態を示している。
【００２１】
【図１０】ＩＰデータストリームの幾つかの実施形態、および、このデータストリームがどのようにして本発明に係る伝送装置から本発明に係る受信装置に、または、外部ＩＰソースから本発明に係る受信装置に伝送され得るかを示している。
【発明を実施するための形態】
【００２２】
図１は、本発明に係る、外部ＩＰソース１０２とＭｉｒａｃａｓｔ対応受信装置１０４との間における外部ＩＰデータストリームの伝送を概略的に示している。Ｍｉｒａｃａｓｔ対応受信装置１０４によって、Ｍｉｒａｃａｓｔ対応伝送装置１００を用いた伝送が可能となる。この第１の実施形態では、まず、外部ＩＰデータストリームが伝送装置１００により外部ＩＰソース１０２から受信され、次いで、受信装置１０４に無線転送される。
【００２３】
以下に手順を説明する。
【００２４】
第１の工程では、Ｍｉｒａｃａｓｔ対応伝送装置１００とＭｉｒａｃａｓｔ対応受信装置１０４との間に接続が確立される。これは図１の矢印１で示されている。この接続は、いわゆる「Ｗｉ−Ｆｉ  Ｐ２Ｐ」方法を用いたＭｉｒａｃａｓｔ規格で開始される。
【００２５】
第２の工程では、次いで、Ｍｉｒａｃａｓｔ規格にあるような、Ｗｉ−Ｆｉディスプレイの「セッションセットアップ」が行われる。これは図１の矢印２で示されている。
【００２６】
当該規格に準拠したＭｉｒａｃａｓｔ伝送方法では、単一のＡ／Ｖ情報信号が、伝送装置１００内の信号処理ブロック１０６によりＭＰＥＧ−ＴＳ対応伝送信号に転換され、次いで、当該ＭＰＥＧ−ＴＳ対応伝送信号が、ＩＰ伝送信号として受信装置１０４に無線伝送される。これは図１の矢印３で示されている。
【００２７】
詳細に言うと、「セッションセットアップ」では、伝送装置１００が、当該伝送装置を特徴付ける第１のＩＰアドレスを生成する。この第１のＩＰアドレスは、セッションセットアップ（矢印２）において受信装置１０４に伝送される。更に、ＭＰＥＧ−ＴＳ対応伝送信号は、第１のＩＰアドレスと一緒にある（ＩＰ層１０８内の）ＩＰ伝送信号のＩＰブロックに入れられる。受信装置１０４はここで、伝送装置１００への無線接続（矢印３）を介して、第１のＩＰアドレスを有するＩＰブロックを受信する。ＭＰＥＧ−ＴＳ対応データストリームはこれから導出される。ＭＰＥＧ−ＴＳ対応データストリームは次いで、スクリーン信号に変換され、その結果、それはスクリーン（図１には図示せず）で再生され得る。
【００２８】
本発明によると、伝送装置１００により供給され得ないデータストリームが受信装置１０４において必要な場合は、伝送装置１００が、例えばインターネット接続（図１には図示せず）を用いて、この所望のデータストリームを供給し得るソースを探索することができる。それは、この所望のデータストリームを（外部）ＩＰデータストリームとして供給するソース１０２を発見する。このソース１０２は、ここで第２のアドレスとして定義され、ひいてはこのソース１０２を特徴付ける自らのアドレスを有する。この第２のアドレスは、例えば、ＩＰアドレスであってもよいし、例えば、ＵＲＬとしてセットアップされてもよい。伝送装置１００はこの第２のアドレスを外部ＩＰソース１０２から判定し、それをセッションセットアップ工程で受信装置１０４に伝送する（矢印２）。所望のデータストリームがＩＰデータストリームとして既に存在しているため、伝送装置１００は、図１の矢印４で示されているように、このデータストリームを「ＩＰレベルで」受信し、伝送装置１００と受信装置１０４との間の無線接続を介して、この外部ＩＰデータストリームを受信装置に無線伝送する（矢印３）。
【００２９】
図２は、図１の伝送装置１００を詳細に示したものであり、これは図２の参照番号２００で表されている。ブロック２０１では、既知のＨＤＣＰ（高帯域幅デジタルコンテンツ保護）方法が、単一の映像情報信号Ｖｉおよび／または音声情報信号Ａｉに適用される。ブロック２０２では、この単一の（データ保護された）映像情報信号（Ｖｉ）および／または音声情報信号（Ａｉ）を、無線伝送され得るＭＰＥＧ−ＴＳ対応データストリームに転換する。
【００３０】
ブロック２０６ではパッキングが行われる。ここで、当該ＭＰＥＧ−ＴＳ対応データストリームは、この１つの映像情報信号および／または音声情報信号しかない状態で、ＲＴＰ（リアルタイムプロトコル）ペイロードストリームに転換される。その後、当該ＲＴＰペイロードは、ブロック２０８においてＵＤＰ（ユニバーサル・データグラム・プロトコル）データストリームに入れられる。当該ＵＤＰデータストリームは次いで、ブロック２１０においてＩＰ（インターネットプロトコル）データストリームに入れられる。ブロック２１４では、当該ＩＰデータストリームが、（図１の参照番号１０４で示されるような）受信装置への無線伝送のために、例えば規格ＩＥＥＥ８０２．１１に従ってＷＬＡＮデータストリームに入れられる。このＷＬＡＮデータストリームについては、Ｗｉ−Ｆｉ  ＡｌｌｉａｎｃｅのＷｉ−Ｆｉピアツーピア（Ｐ２Ｐ）技術仕様書のバージョン１．１で説明されている。
【００３１】
外部ＩＰデータストリームの無線伝送のために、伝送装置２００は更に、外部ＩＰデータストリームを受信するための入力部２０４を備える。入力部２０４は入力端子２１８を含み、入力端子２１８を介して、外部ＩＰデータストリームは、インターネットから（外部ソースから）伝送装置２００および切り替え構成２１２に供給される。切り替え構成２１２内のスイッチの第１の位置では、映像情報信号および／または音声情報信号を受信装置１０４に無線伝送すべく、ＩＰブロックに含まれている映像情報信号および／または音声情報信号がＩＰブロック２１０によりブロック２１４に供給される。切り替え構成２１２内のスイッチの他方の位置では、外部ＩＰデータストリームの無線伝送のために、入力端子２１８にある外部ＩＰデータストリームが受信装置１０４に供給される。
【００３２】
図３は、図１の受信装置１０４の詳細な図を示したものであり、これは図３の参照番号３０４で表されている。
【００３３】
無線伝送信号３００が受信装置３０４のＭｉｒａｃａｓｔ受信ブロック３０６に供給される。本発明によると、受信装置３０４は出力部３１４を含む。出力部３１４はスイッチ３１６を含む。受信ブロック３０６の出力が出力部３１４の入力に連結される。出力部３１４の出力がＩＰ抽出ブロック３０８の入力に連結される。出力部３１４の第２の出力が出力端子３２２に連結される。
【００３４】
スイッチ３１６の第１の位置（左側）では、既知のＭｉｒａｃａｓｔ受信機として受信装置３０４が機能する。映像情報信号および／または音声情報信号を１つだけ有するＭＰＥＧ−ＴＳ対応データストリームを含んだＩＰデータストリームが、受信ブロック３０６により受信され、ＩＰ抽出ブロック３０８に供給される。
【００３５】
ＩＰ抽出ブロック３０８においてＩＰ情報ブロックから導出されたＵＤＰデータストリームが、ブロック３０８の出力を介してＵＤＰ抽出ブロック３１０の入力に供給される。ＵＤＰ抽出ブロック３１０においてＵＤＰデータブロックから導出されたＲＴＰデータストリームが、ブロック３１０の出力を介してＲＴＰ抽出ブロック３１２の入力に供給される。ＲＴＰ抽出ブロック３１２においてＲＴＰデータブロックから導出された、映像情報信号および／または音声情報信号を１つだけ含むＭＰＥＧ−ＴＳ対応データストリームが、ブロック３１２の出力を介してＭＰＥＧ復号化ユニット３１８の入力に供給される。次いで、１つのプログラムが、復号化ユニット３１８において映像情報信号および／または音声情報信号３２４として、それがスクリーン（図３には図示せず）で再生され得るように導出される。
【００３６】
本発明に係る、外部ＩＰデータストリームが伝送装置から受信装置３０４に伝送されるような場合には、スイッチ３１６が他方の位置（右側）にある。これは、伝送された外部ＩＰデータストリームが、受信装置における更なる処理のために出力端子３２２に存在していることを意味する。スイッチ３１６を正しい位置に制御するために、どちらのタイプの伝送信号（Ｍｉｒａｃａｓｔ規格に準拠した伝送信号または外部ＩＰデータストリーム）が受信されるか、どちらの伝送信号がスイッチを一方または他方のスイッチ位置に切り替えるかに応じて、切り替え信号３２８を生成する、切り替え信号生成ユニット３２０が例えば提供され得る。切り替え信号３２８は生成ユニット３２０において制御信号３３０から導出され、制御信号３３０は伝送装置２００により受信装置３０４に伝送される。このために、伝送装置２００は、制御信号３３０を生成してそれを無線伝送ユニット２１４に供給する制御信号生成ユニット２１６（図２参照）を更に備える。
【００３７】
更に、すなわち、どの（コンテナ）形式で外部ＩＰデータストリームが伝送されるかが指定されている場合は、伝送装置２００において識別信号も生成され、受信装置３０４に伝送されてもよい。この表示信号（ｓｉｃ）は、組み立てられた制御信号（合成制御信号）３３０として制御信号と一緒に受信装置３０４に伝送され得る。受信装置３０４では、次いで、この識別信号３３０（ＩＤ）がユニット３２０において導出されてよく、外部ＩＰデータストリームの更なる処理のために内部（受信装置３０４の中）または外部の信号処理ユニット（図示せず）に供給されてよい。
【００３８】
更には、図３の受信装置の実施形態との関連で以下のことも挙げられるべきである。外部ＩＰデータストリームを生成するための図１の外部ＩＰソース１０２は、伝送装置１００での信号生成セットアップと同じように構築される。また、外部ＩＰソース１０２では、この特定の場合において、単一の映像情報信号および／または音声情報信号がＭＰＥＧで符号化されてＭＰＥＧ−ＴＳデータストリームを取得し、次いで更に、ＲＴＰ、ＵＤＰおよびＩＰのカプセル化段階で処理されて外部ＩＰデータストリームを取得する。これは、図３に記載の受信装置３０４における信号処理が異なってもよいことを意味する。この場合は、図１の外部ＩＰソース１０２の単一の映像情報信号および／または音声情報信号を導出するために、受信装置３０４における外部ＩＰデータストリームの信号処理が、段階３０８、３１０、３１２および３１８で実行されてもよい。図５および図６に関する図の説明では後ほど、ＩＰカプセル化が１回しか行われていない外部ＩＰデータストリームを受信装置においてもう一度進路転換するために、スイッチ３１６を有する出力部３１４が必要であることが明らかとなる。
【００３９】
ここでも、出力部３１４がＩＰ抽出段階３０８とＵＤＰ抽出段階３１０との間に配置されてもよいことが挙げられるべきである。なぜなら、受信された外部ＩＰデータストリームは、受信後の更なる処理において、まずＩＰ抽出段階で処理されなければならないからである。このＩＰ抽出は、受信装置３０４のＩＰ抽出段階３０８で実行されてもよい。
【００４０】
図４は、ＭＰＥＧトランスポートストリーム（ＴＳ）が、この実施形態では３つのエレメンタリストリームを含む外部ＩＰデータストリームに含まれているような実施形態を示している。図４は、図１の伝送装置１００のようなＭｉｒａｃａｓｔ対応伝送装置４００と外部ＩＰソース４０２とを示している。この外部ＩＰソース４０２は、マルチプレクサユニット４１１において１つのＭＰＥＧ−ＴＳにまとめられた、この場合は３つのエレメンタリストリーム４０６、４０８および４１０を（例えば、複数のＡ／Ｖエレメンタリストリームが記憶されているプログラムメモリ（図示せず）から）受信または生成する。このＭＰＥＧ−ＴＳは次いで、ブロック４１２においてＲＴＰ（リアルタイムプロトコル）ペイロードに埋め込まれる。当該ＲＴＰペイロードストリームは次いで、ブロック４１４においてＵＤＰ（ユニバーサル・データグラム・プロトコル）ペイロードに埋め込まれる。当該ＵＤＰデータストリームは次いで、すなわち、例えば図１および図２に基づいて既に説明したのと同じように、ブロック４１６においてＩＰ（インターネットプロトコル）データストリームに埋め込まれて、伝送装置４００に伝送される外部ＩＰデータストリームを取得する。
【００４１】
受信側には、この場合はテレビセット４５０に統合されている、Ｍｉｒａｃａｓｔ対応受信装置４０４もある。外部ＩＰデータストリームは、伝送装置４００により受信装置４０４に伝送される。受信装置４０４では、この場合はＩＰ抽出段階４０８とＵＤＰ抽出段階４１０との間に配置された出力部４１４を用いて、外部ＩＰデータストリームが進路転換され、出力端子４２２に存在する。これは既に説明したのと同じように、例えば図１および図３に基づいて行われる。切り替え信号生成ユニット４２０では、伝送装置４００により受信装置４０４に伝送される制御信号４３０から、スイッチ４１６のスイッチ位置を制御するための切り替え信号４２８が生成される。
【００４２】
テレビセット４５０はデマルチプレクサユニット４２４を含む。デマルチプレクサユニット４２４では、必要に応じて、３つのエレメンタリストリームのうちの１つ、例えば、復号化後のデータストリーム４０８に相当するデータストリーム４３２が、Ａ／Ｖ情報信号としてスクリーン４３０に転送される。
【００４３】
図５は、外部ＩＰデータストリームとして、まだ指定されていない複数のストリーミング形式の提供も行う複数の外部ＩＰソースがあるような実施形態を示している。外部ＩＰソースは、例えばインターネット５００に位置する。
【００４４】
図５は、例えば、単一の音声情報信号および／または映像情報信号がとりわけＭＰＥＧで符号化され、処理後にブロック５１２において埋め込まれるという点で、外部ＩＰデータストリームを生成する外部ＩＰソース５１０を示している。ここで、ＭＰＥＧ−ＴＳ対応データストリームは、映像情報信号および／または音声情報信号が１つしかない状態で、ＲＴＰ（リアルタイムプロトコル）ペイロードに入れられる。その後、当該ＲＴＰペイロードは、ブロック５１４においてＵＤＰ（ユニバーサル・データグラム・プロトコル）ペイロードに埋め込まれる。当該ＵＤＰペイロードは次いで、ブロック５１６においてＩＰ（インターネットプロトコル）ペイロードに埋め込まれる。
【００４５】
ネットワーク５００、例えばインターネットには、第２のＩＰソース５２０もある。ここでは、映像情報信号および／または音声情報信号が、既知の方式または新しい方法で符号化され、次いで、ブロック５２２においてＲＴＰ（リアルタイムプロトコル）ペイロードに埋め込まれる。当該ＲＴＰペイロードは次いで、ブロック５２４においてＵＤＰ（ユニバーサル・データグラム・プロトコル）ペイロードに埋め込まれる。当該ＵＤＰペイロードは次いで、ブロック５２６においてＩＰ（インターネットプロトコル）ペイロードに埋め込まれる。
【００４６】
インターネット５００には、第３のＩＰソース５３０もある。ここでは、映像情報信号および／または音声情報信号が、既知の別の方式でＤＶＢ対応データストリームに符号化され、このＤＶＢ対応データストリームは、ＭＰＥＧトランスポートストリームに含まれる。このＭＰＥＧトランスポートストリームは次いで、ブロック５３６においてＩＰ（インターネットプロトコル）データストリームに直接埋め込まれる。
【００４７】
インターネット５００には、第４のＩＰソース５４０もある。ここでは、映像情報信号が、Ｈ．２６４またはＨ．２６５などの既知の方式で符号化され、次いで、ブロック５４６においてＩＰ（インターネットプロトコル）データストリームに直接変換される。
【００４８】
インターネット５００には、第５のＩＰソース５５０もある。ここでは、音声情報信号（またはスピーチ信号）が、音声符号化ユニット（またはスピーチ符号化ユニット）において既知の方式で符号化され、次いで、ブロック５５６においてＩＰ（インターネットプロトコル）データストリームに直接変換される。音声符号化ユニットの例としては、例えば（ＭＰ３符号化ユニットなどの）ＭＰＥＧ音声符号化ユニット、ＡＡＣ符号化ユニット、ＯＧＧ符号化ユニットまたはＦＬＡＣ符号化ユニットが挙げられる。スピーチ符号化システムの例としては、例えばＡＭＲ（適応型マルチレート）、ＣＥＬＰ（符号励起線形予測）、ＧＳＭ（登録商標）およびＧ．７１１（およびそれ以降のバージョン）が挙げられる。
【００４９】
本発明に係る伝送装置５６０には、インターネット５００との連結５７０がある。この連結５７０を介して、伝送装置５６０は、以下ソース情報と呼ばれる、インターネット５００に位置する外部ＩＰソース５１０、５２０、５３０、５４０および５５０に関する情報を取得し得る。このソース情報は、例えば、外部ＩＰソースの識別情報と、ＩＰアドレスおよび／またはＵＲＬといった外部ＩＰソースのアドレスと、ＩＰソースが提供する信号のタイプ（この場合は、信号がどのようにして符号化されるか、信号の品質がどうであるか、信号の帯域幅がどの位であるか、および、アスペクト比（映像信号の場合のアスペクト比）がどの位であるかが留意されるべきである）と、このソースを操作する放送局の名前、例えばＡＲＤ、ＺＤＦおよびＢＲ（全てドイツの放送局）と、放送局により放送されるプログラムのリストとを含む。
【００５０】
当該ソースに関する情報は次いで、受信装置のユーザの所望のプログラムが伝送装置５６０により供給され得るかどうかを判断するために、本発明に係る伝送装置との通信において使用され得る。
【００５１】
受信装置がどの信号処理機能を有しているかが第１のセッションセットアップ工程で判断され、かつ、伝送装置５６０が受信装置のこれらの信号処理機能を認識しているという点で、動作は以下の通りである。
【００５２】
インターネットへの接続５７０を介して、伝送装置５６０は、上述のソース情報、例えば適正なコンテンツのリストが、１つまたは複数のウェブサーバに記憶されてよく、伝送装置５６０により受信装置に伝送され得る有力な外部ＩＰソース（または放送局）のソースリストを生成し得ると判断した。更には、ある１日（または、その日のある時間帯）に１つまたは複数の放送局が外部ＩＰソースを介して放送するプログラムのプログラムリストが、ソース情報から生成され得る。ビデオオンデマンドはオプションも表す。
【００５３】
ひとたび伝送装置５６０と本発明に係る受信装置との間に接続が確立されると、伝送装置５６０は、例えばセッションセットアップにおいて、このソースリストおよびプログラムリストを本発明に係る受信装置に伝送し得る。これは、例えば既知のビーコンを用いて後ほど実装されてもよい。
【００５４】
図５の外部ＩＰソースのデータストリームは常に、この実施形態における映像データストリームおよび／または音声データストリームである。しかしながら、外部ＩＰソースにより供給され得る情報がいかなるデータを（それが必ずしも映像情報および／または音声情報を含むことなく）含んでもよいことがここで挙げられるべきである。 
【００５５】
図６は、本発明に係る、図５の伝送装置と連携するよう構成された受信装置６０４を示している。ここで、受信装置６０４は、図５に示されているように、全ての外部ＩＰソース５２０、５３０、５４０および５４０から外部ＩＰデータストリームを受信および処理するよう構成されるものと推定される。しかしながら、一般的には、これが常に当てはまるとは限らない。なぜなら、言うまでもなく、受信装置における信号処理能力は常に限定されているからである。
【００５６】
受信装置６０４は故に、受信装置６０４のユーザのためにスクリーン（図６には図示せず）に表示され得る（単一ＭＰＥＧ−ＴＳ用）プログラムリストまたはソースリストおよび（マルチＭＰＥＧ−ＴＳ用）プログラムリストを伝送装置５６０から受信する。ユーザは、放送機関、例えばＡＲＤにより操作されるソース、例えば外部ＩＰソースをソースリストから選択し得る。更に、ユーザは、必要であれば（かつ可能であれば）、ＡＲＤにより放送される特定の伝送プログラムを選択し得る。
【００５７】
まず、ソース５４０および５５０のうちの一方による外部ＩＰデータストリームの要求および伝送について説明する。セットアップ中、受信装置は、受信装置がどの形式をサポートしているかを伝送装置５６０に伝える。伝送装置５６０は次いで、ネットワーク、例えばインターネットを介して、他の外部ソース５００、例えば公知のサーバを発見し、受信装置に伝えることができる。ＩＰソース５４０を特徴付ける（ＩＰアドレスまたはＵＲＬとしての）アドレスは、図１、図２および図３に基づいて既に説明したように、伝送装置５６０により受信装置６０４に伝送される。受信装置６０４はここで、ＩＰソース５４０の（必要であればＵＲＬを用いて導出された）ＩＰアドレスを有するＩＰ情報ブロックを、無線伝送信号６００として、伝送装置５６０から［伝送装置５６０を備えた］無線Ｍｉｒａｃａｓｔ伝送路を介して受信し得る。
【００５８】
無線伝送信号６００は、受信装置６０４のＭｉｒａｃａｓｔ受信ブロック６０６に提供される。本発明によると、受信装置６０４は出力部６１４を含む。出力部６１４はスイッチ６１６を含む。受信ブロック６０６の出力が出力部６１４の入力に連結される。出力部６１４の出力がＩＰ抽出ブロック６０８の入力に連結される。出力部６１４の第２の出力が信号端子６３０に連結される。
【００５９】
外部ＩＰデータストリームが伝送装置５６０によりＩＰソース５４０から受信装置６０４に伝送されると、スイッチ６１６は右側の位置に切り替えられる。これは、伝送された外部ＩＰデータストリームが（例えば受信装置６０４自体における）更なる処理のために信号端子６３０に提供されることを意味する。スイッチ６１６を正しい位置に制御するために、受信される伝送信号のタイプ（Ｍｉｒａｃａｓｔ規格に準拠した伝送信号または外部ＩＰデータストリーム）に応じて、切り替え信号６５２を生成し、スイッチ６１６を一方または他方のスイッチ位置に切り替える、切り替え信号生成ユニット６５０がここでも提供される。切り替え信号６５２は、生成ユニット６５０において、伝送装置５６０により受信装置６０４に伝送される制御信号６５４から導出される。このために、伝送装置５６０は、図２および図３に基づいて説明したのと全く同じように、制御信号６５４を生成してそれを無線伝送ユニット５６４に供給する制御信号生成ユニット（図５では図示せず）を更に備える。
【００６０】
ＩＰソース５４０からの外部ＩＰデータストリームは、例えば、Ｈ．２６５で符号化され、次いで、ＩＰ情報ブロックに直接カプセル化される、符号化された映像情報信号である。ＩＰソース５５０からの外部ＩＰデータストリームは、例えば、ＭＰ３で符号化され、次いで、ＩＰ情報ブロックに直接カプセル化される、符号化された音声情報信号である。この場合は、受信装置６０４がＨ．２６５復号化ユニット６６０およびＭＰ３復号化ユニット６６２を更に含む。当該ユニットの入力は、切り替え構成６６４を介して信号端子６３０に連結される。切り替え信号６５３が更に切り替え構成６６４に更に供給されて、当該切り替え構成６６４内のスイッチ位置を制御する。ＩＰソース５４０の外部ＩＰデータストリームの受信時に、切り替え構成６６４のスイッチ位置は、当該切り替え構成６６４内のスイッチが下方位置にあるよう更に制御され、その結果、ＩＰ抽出段階６０８でＩＰ情報ブロックから導出される、符号化された映像情報信号は、映像復号化ユニット６６０においてＨ．２６５で復号化されてよく、次いで、復号化された映像情報信号として出力端子６６６に存在する。
【００６１】
ＩＰソース５５０の外部ＩＰデータストリームの受信時に、切り替え構成６６４のスイッチ位置は、当該切り替え構成６６４内のスイッチが上方位置にあるよう切り替え信号６５３により更に制御され、その結果、ＩＰ抽出段階６０８でＩＰ情報ブロックから導出される、符号化された音声情報信号は、音声復号化ユニット６６２においてＭＰ３で復号化されてよく、次いで、復号化された音声情報信号として出力端子６６８に提供されてよい。切り替え信号６５３は、切り替え信号６５２と同様の方式で、切り替え信号生成ユニット６５０において制御信号６５４から導出される。
【００６２】
受信装置６０４は、ＵＤＰ抽出段階６１０とＲＴＰ抽出段階６１２との間に配置された切り替え構成６１８を更に備え得る。切り替え構成６１８内のスイッチ６２０を正しい位置に制御するために、切り替え信号生成ユニット６５０は、スイッチ６２０が一方または他方の位置に切り替えられるように、どちらのタイプの伝送信号（Ｍｉｒａｃａｓｔ規格に準拠した伝送信号（左側）または外部ＩＰデータストリーム（右側））が受信されるかに応じて、ここでも切り替え信号６７０を生成する。切り替え信号６７０は、生成ユニット６５０において、伝送装置５６０により受信装置６０４に伝送される制御信号６５４から導出される。
【００６３】
以下ではソース５３０による外部ＩＰデータストリームの要求および伝送について説明する。受信装置６０４は要求を伝送して、外部ソース５３０から伝送装置５６０に外部ＩＰデータストリームを供給する。ＩＰソース５３０のアドレス（ＩＰアドレスまたはＵＲＬ）は、図１、図２および図３に基づいて既に説明したように、伝送装置５６０により受信装置６０４に伝達される。受信装置６０４はここで、ＩＰソース５３０の（必要であればＵＲＬを用いて導出された）ＩＰアドレスを有するＩＰ情報ブロックを、無線伝送信号６００として、伝送装置５６０から［伝送装置５６０を備えた］無線Ｍｉｒａｃａｓｔ伝送路を介して受信し得る。
【００６４】
外部ＩＰデータストリームが伝送装置５６０によりＩＰソース５３０から受信装置６０４に伝送される場合は、スイッチ６１６が左側の位置にある。これは（ＩＰ情報ブロックから導出される）伝送された外部データストリームがＵＤＰ抽出段階６１０に転送されることを意味する。ＵＤＰ抽出段階６１０では、ＵＤＰヘッダがデータストリームから引き離され、次いで、切り替え構成６１８に転送される。スイッチ６１８は右側の位置にある。これは、伝送された外部ＩＰデータストリームが、受信装置における更なる処理のために信号端子６７２に提供されることを意味する。
【００６５】
ＩＰソース５３０からの外部ＩＰデータストリームは、ＤＶＢデータストリームに含まれる映像情報信号および／または音声情報信号である。この場合は、受信装置６０４がＤＶＢ復号化ユニット６７４を更に含み、ＤＶＢ復号化ユニット６７４の入力が信号端子６７２に連結される。ＵＤＰ抽出段階６１０で導出される、ＤＶＢデータストリームに含まれる映像情報信号および／または音声情報信号は、ＤＶＢ復号化ユニット６７４に提供され、そこで復号化される。このようにして取得された映像情報信号および／または音声情報信号はその後、出力端子６７６に転送される。
【００６６】
受信装置６０４は、ＲＴＰ抽出段階６１２と復号化段階６１４との間に配置された切り替え構成６２２を更に備え得る。切り替え構成６２２内のスイッチ６２４を正しい位置に制御するために、切り替え信号生成ユニット６５０はここでも、スイッチ６２４が一方または他方の位置に切り替わるように、どちらのタイプの伝送信号（Ｍｉｒａｃａｓｔ規格に準拠した伝送信号（左側）または外部ＩＰデータストリーム（右側））が受信されるかに応じて、切り替え信号６８０を生成する。今度は、切り替え信号６８０が生成ユニット６５０において、伝送装置５６０により受信装置６０４に伝送される制御信号６５４から導出される。
【００６７】
以下ではソース５２０による外部ＩＰデータストリームの要求および伝送について説明する。受信装置６０４は要求を伝送して、外部ソース５２０から伝送装置５６０に外部ＩＰデータストリームを供給する。ＩＰソース５２０のＩＰアドレスは、図１、図２および図３に基づいて既に説明したように、伝送装置５６０により受信装置６０４に伝送される。受信装置６０４はここで、ＩＰソース５２０のＩＰアドレスを有するＩＰ情報ブロックを、無線伝送信号６００として、伝送装置５６０から［伝送装置５６０を備えた］無線Ｍｉｒａｃａｓｔ伝送路を介して受信し得る。
【００６８】
ＩＰソース５２０の外部ＩＰデータストリームが伝送装置５６０により受信装置６０４に伝送される場合は、スイッチ６２４が右側の位置にあり、スイッチ６１６および６２０が左側の位置にある。これは、伝送された外部ＩＰデータストリームが、受信装置における更なる処理のために、段階６０８、６１０および６１２における処理の後、信号端子６８２に転送されることを意味する。
【００６９】
ＩＰソース５２０からの外部ＩＰデータストリームは、任意の方式で符号化され、次いで、ＲＴＰ段階、ＵＤＰ段階およびＩＰ段階で処理された映像情報信号および／または音声情報信号である。この場合は、受信装置６０４が復号化ユニット６８４を更に含み、復号化ユニット６８４の入力は信号端子６８２に連結される。ＩＰ抽出段階６０８、ＵＤＰ抽出段階６１０およびＲＴＰ抽出段階６１２で導出される、ＩＰデータストリームに含まれる映像情報信号および／または音声情報信号は、復号化ユニット６８４に転送され、そこで復号化される。このようにして取得された映像情報信号および／または音声情報信号は次いで、出力端子６８６に転送される。
【００７０】
図７は、外部ＩＰデータストリームソース７０２とＭｉｒａｃａｓｔ対応受信装置７０４との間における外部ＩＰデータストリームの伝送の実施形態を示している。Ｍｉｒａｃａｓｔ対応受信装置７０４によって、Ｍｉｒａｃａｓｔ対応伝送装置７００を用いた伝送が可能となる。ここで、外部ＩＰデータストリームは、外部ＩＰソースから受信装置に伝送され（矢印５）、伝送装置は外部ＩＰソースと受信装置との間の伝送路において迂回される。
【００７１】
手順は以下の通りである。この手順には、図１に基づいて説明した手順との類似点が多数ある。
【００７２】
第１の工程では、ここでもＭｉｒａｃａｓｔ対応伝送装置７００とＭｉｒａｃａｓｔ対応受信装置７０４との間に接続が確立される。これは図７の矢印１で示されている。この接続は、いわゆる「Ｗｉ−Ｆｉ  Ｐ２Ｐ」方法を用いてＭｉｒａｃａｓｔ規格で開始される。
【００７３】
第２の工程では次いで、Ｍｉｒａｃａｓｔ規格にあるようなＷｉ−Ｆｉディスプレイの「セッションセットアップ」が行われる。これは図７の矢印２で示されている。
【００７４】
単一のＡ／Ｖ情報信号がＭＰＥＧ−ＴＳ対応伝送信号として伝送装置７００により受信装置７０４に無線伝送されるような規格に準拠したＭｉｒａｃａｓｔ伝送方法については、ここでより詳細に説明しない。このため、図１に関する説明を参照されたい。
【００７５】
本発明によると、伝送装置６００により供給され得ないデータストリームが必要な場合は、伝送装置７００が、例えばインターネット（図示せず）への接続を用いて、この所望のデータストリームを供給し得るソースを探索することができる。それは、この所望のデータストリームを（外部）ＩＰデータストリームとして供給するソース７０２を発見する。このソース７０２は、ここで第２のアドレスとして定義され、かつ、例えばＩＰアドレスまたはＵＲＬであり得る、自らのアドレスを有する。
【００７６】
伝送装置７００は、この第２のアドレスを外部ソース７０２から認識し、それをセッションセットアップ工程で受信装置７０４に伝送する（矢印２）。
【００７７】
「セッションセットアップ」では、受信装置７０４にインターネット（無線または有線）との独自の連結があること、および、第２のアドレスを用いることにより受信装置７０４がインターネットから外部ＩＰデータストリームを直接受信（矢印５）してもよいことがまた判断された。このように、伝送装置７００は、外部ＩＰデータストリームの伝送チェーンにおいて迂回される。 
【００７８】
図８は、受信装置７０４（図７）の一部を詳細に示したものであり、これは図８の参照番号８０４で示されている。ここでは、Ｍｉｒａｃａｓｔ受信ブロック８０６の出力が、スイッチ８９２を含む入力回路８９０の第１の端子に連結される。インターネットから外部ＩＰデータストリームを受信するための入力端子８９４が、入力回路８９０の第２の端子に連結される。入力回路８９０の第３の端子が、ＩＰ抽出段階８０８の入力に連結される。スイッチ８９２の切り替え位置は、図３および図６で既に説明し、かつ、図８の参照番号８５０で示されている、切り替え信号生成ユニットにより示されるスイッチ制御信号８９６により制御される。無線伝送信号８００が伝送装置７００により受信装置８０４に伝送される場合は、スイッチ８９２が、それが左側の位置にあるよう制御され、その結果、受信された伝送信号（図１〜図６に基づいて説明したような伝送装置７００を介して伝送されるＭｉｒａｃａｓｔ対応伝送信号または外部ＩＰデータストリーム）が、ＩＰ抽出段階８０８に転送され得る。
【００７９】
伝送装置７００を迂回させることによって外部ＩＰデータストリームがネットワーク（例えばインターネット）により入力端子８９４に「直接」（すなわち、電気接続または無線接続を介した伝送の後に）転送される場合は、スイッチ８９２が、スイッチ８９２が右側の位置に切り替えられるようスイッチ制御信号８９６により制御される。このようにして、外部ＩＰデータストリームはＩＰ抽出段階８０８に転送され得る。ＩＰヘッダがＩＰ抽出段階８０８で外部ＩＰデータストリーム内の情報ブロックから引き離された後、このようにして取得されたデータストリームは、図６の出力部６１４に相当する出力部８１４、および、そこで詳細に説明した操作モードに存在する。
【００８０】
図９は、主に図６の受信装置に相当する、本発明に係る受信装置の更なる別の実施形態を示している。図９では、図６の実施形態との比較により、分かり易くするために切り替え構成６１８および６２２を省略した。図６の切り替え構成６１４は、切り替え構成９１４として図９では異なるように構成される。更には、ＲＴＰ抽出段階９１２とＭＰＥＧ−ＴＳ復号化段階９１８との間に切り替え構成９０２が配置され、この実施形態では、受信ブロック９０６とＩＰ抽出段階９０８との間に切り替え構成９９０が配置される。 
【００８１】
この受信装置９０４は、例えば、図５のＩＰソース５４０および５５０の操作モードに基づいて既に説明したように、単一の映像情報信号および／または音声情報信号のＭＰＥＧ−ＴＳデータストリームをＩＰデータブロックに直接カプセル化する（埋め込む）ことにより取得された外部ＩＰデータストリームを受信するのに適している。
【００８２】
係るＩＰデータストリームが（無線接続９００を介して、または入力端子９９４を介して）受信されると、切り替え構成９９０は、このＩＰデータストリームがＩＰ抽出段階９０８に転送されるよう切り替え信号９９６により制御される。抽出段階９０８は、ここでは３つのスイッチ位置を備える切り替え構成９１４に出力信号を供給する。ＩＰ抽出段階９０８の出力信号が出力端子９３０に転送されることになっている場合は、切り替え信号９５２が、スイッチ位置が右側にあるようスイッチ９１６を制御する。ＩＰ抽出段階９０８の出力信号がＵＤＰ抽出段階９１０に転送されことになっている場合は、スイッチ９１６が下向きの鉛直切り替え位置にある。今回の場合は、ＩＰ抽出段階９０８の出力信号が既に、単一の映像情報信号および／または音声情報信号を含むＭＰＥＧ−ＴＳデータストリームである。この信号は故に、ＭＰＥＧ復号化段階９１８に直接転送され得る。このため、スイッチ９１６の第３のスイッチ位置が左側にある。この左側の位置では、ＭＰＥＧ−ＴＳデータストリームが切り替え構成９０２に直接供給される。更に、切り替え構成９０２内のスイッチ９０４は、ＭＰＥＧ−ＴＳデータストリームが復号化ユニット９１８に転送され、そこで復号化され得るように、左側の位置で切り替え信号９９８の影響下にある。
【００８３】
図１０は、ＩＰデータストリームの幾つかの実施形態、および、ＩＰデータストリームがどのようにして本発明に係る伝送装置から本発明に係る受信装置に、または、外部ＩＰソースから本発明に係る受信装置に伝送され得るかを示している。ＩＰデータストリームは、図１０のａに概略的に示されているように、ＩＰ情報ブロック、...，ＩＰＢ１，ＩＰＢ２，...を含む。ＩＰ情報ブロックは、ＩＰ  ＨＤＲと呼ばれるヘッダと、ペイロードＡと呼ばれる情報部とから成る。ＩＰ情報ブロックＩＰＢのヘッダＩＰ  ＨＤＲは、図１０のｂに示されているように、ＩＰ  ＡＤＤＲと呼ばれる上記のＩＰアドレスを含む。図１０のａおよび図１０のｂのデータストリームは、例えば、図５の外部ＩＰソース５４０および５５０により生成され得る。
【００８４】
図１０のｃは、図５の外部ＩＰソース５３０により生成され得るようなＩＰデータストリームを示している。ここでは、ＩＰ情報ブロックＩＰＢにおいて、ヘッダＩＰ  ＨＤＲの後ろに、ＩＰソース５３０のＵＤＰカプセル化段階５３８で加えられる別の更なるヘッダＵＤＰ  ＨＤＲが提供される。
【００８５】
図１０のｄは、図５の外部ＩＰソース５２０および５１０により、または、本発明に係る伝送装置自体により生成され得るようなＩＰデータストリームを示している。ここでは、ＩＰ情報ブロックＩＰＢにおいて、ヘッダＩＰ  ＵＤＰの後ろに、ＩＰソース５２０のＲＴＰカプセル化段階５２２およびＩＰソース５１０のＲＴＰカプセル化段階５１２で（または、伝送装置１００のＲＴＰカプセル化段階（図１）、伝送装置７００のＲＴＰカプセル化段階（図７）もしくは伝送装置２００のＲＴＰカプセル化段階（図２）で）加えられる別の更なるヘッダＲＴＰ  ＨＤＲが提供される。
【００８６】
本発明に係る伝送装置の本発明に係る特徴は別として、Ｗｉ−Ｆｉ  ＡｌｌｉａｎｃｅのＷｉ−Ｆｉディスプレイ技術仕様書の例えばバージョン１．１．０（Ｍｉｒａｃａｓｔ）に従って少なくとも単一の映像情報信号および／または音声情報信号を処理し、それを無線伝送できることのみが不可欠であることが、更に挙げられるべきである。これは、ＭＰＥＧ−ＴＳデータストリームがＲＴＰでカプセル化され（または埋め込まれ）た後にＵＤＰでカプセル化され、次いで、ＩＰデータストリームを取得するためにカプセル化されることを意味する。
【００８７】
本発明に係る受信装置の本発明に係る特徴は別として、当該受信装置がＷｉ−Ｆｉ  ＡｌｌｉａｎｃｅのＷｉ−Ｆｉディスプレイ技術仕様書の、例えばバージョン１．１．０（Ｍｉｒａｃａｓｔ）に従って伝送装置により伝送される、無線伝送された少なくとも単一の映像情報信号および／または音声情報信号を、すなわち、単一の映像情報信号および／または音声情報信号の複製が生成されるように、受信および処理できることのみが不可欠であることが更に挙げられるべきである。これは、その後に無線受信された伝送信号ＵＤＰがＲＴＰで抽出され、次いで、ＩＰで抽出されることを意味する。
【００８８】
Ａ．これは、本発明に係る、ＭＰＥＧ−ＴＳ（トランスポートストリーム）対応データストリームを受信装置に無線伝送するための伝送装置の更なる実施形態が更に、伝送装置がＭＰＥＧ−ＴＳ対応データストリームを受信するための端子を備えるよう定義されてよく、更には伝送装置を特徴付ける第１のＩＰアドレスを受信装置に無線伝送するよう適合させられることを意味する。ここで、伝送装置は更に、受信装置への無線伝送の前に第１のＩＰアドレスをＭＰＥＧ−ＴＳ対応データストリームと結合させるよう適合させられ、伝送装置は更に、受信装置が外部信号ソースから外部ＩＰデータストリームを受信するのが可能となるよう適合させられ、伝送装置は更に、受信装置に第２のアドレスを無線伝送するよう適合させられ、当該第２のアドレスは外部信号ソースを特徴付ける。
【００８９】
Ｂ．伝送装置は更に、外部ＩＰデータストリームを受信するための入力部を備えてよく、伝送装置は、受信装置に外部ＩＰデータストリームを無線伝送するよう適合させられる。
【００９０】
Ｃ．これは、本発明に係る受信装置の更なる実施形態が更に、当該受信装置が上述の伝送装置Ｂと連携するための受信ブロックを含むよう定義され得ることも意味する。ここで、受信装置は、伝送装置から受信装置に既に伝送された第２のアドレスを用いて、伝送装置から外部ＩＰデータストリームを受信するよう適合させられる。
【００９１】
Ｄ．これは、本発明に係る受信装置の別の実施形態が更に、当該受信装置が上述の伝送装置Ａと連携するための受信ブロックを含むよう定義され得ることも意味する。ここで、受信装置は、伝送装置から受信装置へ既に伝送された第２のアドレスを用いて、外部ＩＰソースから外部ＩＰデータストリームを受信するよう適合させられ、外部信号ソースから受信装置への外部ＩＰデータストリームの伝送が、伝送装置を迂回させることにより行われる。
【００９２】
Ｅ．受信装置は更に、外部ＩＰデータストリームを受信するための更なる入力を備え得る。
【００９３】
Ｆ．伝送装置Ｂは更に、ＭＰＥＧ−ＴＳ対応データストリームに対するＲＴＰ処理工程を実行するためのＲＴＰ処理ブロックと、ＲＴＰ処理ブロックにおいて処理されたＭＰＥＧ−ＴＳ対応データストリームに対するＵＤＰ処理工程を実行するためのＵＤＰ処理ブロックと、ＵＤＰ処理ブロックにおいて処理されたＭＰＥＧ−ＴＳ対応データストリームに対するＩＰ処理工程を実行するためのＩＰ処理ブロックとを含み得る。ここで、入力部は、ＩＰ処理ブロックにおいて処理された内部ＭＰＥＧ２−ＴＳ対応データストリームと外部ＩＰデータストリームとを切り替えるための切り替え構成を含む。
【００９４】
Ｇ．この場合は、切り替え構成の出力が、切り替え構成の出力信号を無線伝送するための伝送ブロックに連結され得る。
【００９５】
Ｈ．本発明に係る伝送装置は更に、受信装置とのＷｉ−Ｆｉピアツーピア接続を確立するための第１のブロックと、当該受信装置に当該第１のＩＰアドレスを伝送するために当該第１のアドレスを生成するよう適合させられる、セッションセットアップ手順を実行するための第２のブロックとを備え得る。ここで、第２のブロックは、受信機が第２のアドレスを利用できるよう適合させられ、当該第２のアドレスは、外部ＩＰデータストリームを供給する外部ＩＰソースを特徴付けるアドレスであり、第２のブロックは、受信装置に当該第２のアドレスを伝送するよう適合させられる。
【００９６】
Ｉ．この場合は、伝送装置Ｈが更に、インジケータ信号を生成するよう適合させられ、当該インジケータ信号は、外部ＩＰデータストリームの形式を示す。伝送ブロックは更に、受信装置に外部ＩＰデータストリームを伝送する前に、当該受信装置にインジケータ信号を伝送するよう適合させられる。
【００９７】
Ｊ．受信装置Ｃ、ＤまたはＥ内の受信ブロックは更に、伝送装置Ｉと連携するために、無線伝送されたインジケータ信号を受信するよう適合させられてよく、受信装置は更に、受信されたインジケータ信号に応答して外部ＩＰデータストリームを出力するための出力部を含む。
【００９８】
Ｋ．受信装置Ｃ、ＤまたはＥ内の受信ブロックは、伝送装置Ｉと連携するために、無線伝送されたインジケータ信号を受信するよう適合させられてもよく、受信装置は更に、受信されたインジケータ信号に応答して、ＩＰ抽出段階で外部ＩＰデータストリーム内のＩＰヘッダを抽出した後に取得された外部ＩＰデータストリームを出力するための出力部を含む。
【００９９】
Ｌ．受信装置Ｃ、ＤまたはＥは更に、無線伝送されたインジケータ信号に応答して、ＩＰ抽出段階で外部ＩＰデータストリームからＩＰヘッダを抽出した後、かつ、ＵＤＰ抽出段階でＵＤＰヘッダを抽出した後に取得された外部データストリームを出力するための更なる出力部を備え得る。
【０１００】
Ｍ．受信装置Ｃ、ＤまたはＥは更に、無線伝送されたインジケータ信号に応答して、ＩＰ抽出段階で外部ＩＰデータストリームからＩＰヘッダを抽出した後、ＵＤＰ抽出段階でＵＤＰヘッダを抽出した後、かつ、ＲＴＰ抽出段階でＲＴＰヘッダを抽出した後に取得された外部データストリームを出力するための更なる出力部を備えてもよい。
【０１０１】
Ｎ．受信装置Ｊ、Ｋ、ＬまたはＭは、受信されたインジケータ信号に対応する形式を有する、外部ＩＰデータストリームを復号化するための、出力部のうちの１つに連結された信号復号化ユニットを更に備え得る。
【０１０２】
Ｏ．受信装置ＪまたはＫ内の出力部は、無線伝送されたＭＰＥＧ２−ＴＳ  Ｍｉｒａｃａｓｔ対応データストリームの受信と当該外部ＩＰデータストリームの受信とを切り替えるための切り替え構成を更に備えることができ、当該切り替え構成の入力は、受信ブロックの出力に連結され、第１の出力は、ＭＰＥＧ−ＴＳ  Ｍｉｒａｃａｓｔ対応データストリームを復号化するための復号化ユニットの入力に連結され、第２の出力は、外部ＩＰデータストリームを直接出力するための出力端子に連結される。
【０１０３】
Ｐ．受信装置Ｏは、ＭＰＥＧ復号化ユニットに外部データストリームを直接供給するための第３の出力を含んだ更なる切り替え構成を備え得る。
【０１０４】
Ｑ．受信装置Ｅは更に、更なる切り替え構成を備え得る。ここでは、切り替え構成の第１の入力端子が入力に連結され、第２の入力端子が受信構成の出力に連結され、出力端子がＩＰ抽出段階の入力に連結される。
【図１】
2019522389.tif 000003
【図２】
2019522389.tif 000004
【図３】
2019522389.tif 000005
【図４】
2019522389.tif 000006
【図５】
2019522389.tif 000007
【図６】
2019522389.tif 000008
【図７】
2019522389.tif 000009
【図８】
2019522389.tif 000010
【図９】
2019522389.tif 000011
【図１０】
2019522389.tif 000012
【国際調査報告】
2019522389.tif 000013
2019522389.tif 000014
2019522389.tif 000015